(57)【要約】【課題】脚部間の間隔を調整する必要があっても、その調整寸法を吸収しつつ、脚部間に座部をしっかり取付けることができるベンチを提供する。【解決手段】適宜間隔をおいて立設された２個の端脚部２間に、座部１が長手方向に配置され、端脚部２は、座部１の一端部が挿入される中空の挿入部２１が設けられ、挿入部２１は上壁２４と底壁２５とを備えた断面略コ字状となされ、且つ底壁２５の先端より支持板部２６が突設されると共に支持板部２６の先端は上壁２４の先端より張り出していることを特徴とするベンチ。【選択図】        図１
2010057696.tif 000002
【特許請求の範囲】
【請求項１】
適宜間隔をおいて立設された２個の端脚部間に、座部が長手方向に配置され、前記端脚部は、前記座部の一端部が挿入される中空の挿入部が設けられ、前記挿入部は上壁と底壁とを備えた断面略コ字状となされ、且つ底壁の先端より支持板部が突設されると共に前記支持板部の先端は上壁の先端より張り出していることを特徴とするベンチ。
【請求項２】
前記端脚部の間に中間脚部が設けられ、前記中間脚部は前記挿入部及び支持板部が左右に設けられ、該中間脚部の左右に配置された座部の一端部が左右の挿入部にそれぞれ挿入されていることを特徴とする請求項１に記載のベンチ。
【請求項３】
前記座部は、長手方向に中空状となされたアルミニウム製芯材に合成樹脂が被覆されていることを特徴とする請求項１又は２に記載のベンチ。
【発明の詳細な説明】
【技術分野】
【０００１】
本発明は、公園、遊園地、駅やバス等の待合いスペース、駅前や商業施設の広場に設置されるベンチに関するものである。
【背景技術】
【０００２】
一般に、公園、遊園地、駅やバス等の待合いスペース、駅前や商業施設の広場には、通行人や施設利用者が休憩等に利用するベンチが設置されている。そして、これらベンチは、複数の脚部に平板状の座部が取付けられたものであり、座部の両端を脚部で支持するもの、脚部の上端に座部を載置した形態もの等が用いられており、又座部についても、平板状のものや、柱状体或いは管状体を複数並設して平板状に形成したもの等が用いられている。
【０００３】
例えば、脚本体の上部に複数のパイプ状の継手が並設された合成樹脂の一体成型品よりなる構造物の脚体において、継手にパイプ材を挿入して固定するようにし、釘打ちやビス止めの作業を不要とする脚体が提案されている。（例えば、特許文献１参照。）。
【０００４】
又、それぞれの対向部分に開口部を形成し、該開口部と外部との間にガイド用透孔を設けた一体のフレームと、該一対のフレームを連結する固定杆と、内部に空き缶を連続して収納し、両端部を前記開口部に挿入した複数の座管と、表面が前記座管に当接し、裏面に取付けた脚杆が前記ガイド用透孔内を通るように配置した受け板と、前記開口部内の前記脚杆に捲装したコイルスプリングとを含み、使用時に座管が微動するようにしたベンチが提案されている（例えば、特許文献２参照。）。
【０００５】
このベンチは、フレームの内側面を空所とする断面コ型に形成して、この断面コ型の内部に弾性部材を介して座管の両端を取付け、座管を緩衝的に形成して座り心地を良くしたものである。
【特許文献１】実開昭６１−１４４８４１号公報
【特許文献２】実公平１−４４１０８号公報
【発明の開示】
【発明が解決しようとする課題】
【０００６】
しかしながら、特許文献１に記載の脚体には次のような問題点があった。すなわち、釘打ちやビス止めの作業を不要とする為にはパイプ状の継手の内部に遮蔽部を設けると共に、継手内に挿入するパイプ材の先端を遮蔽部に当接させた状態にして構造体を構成する必要があるため、設置場所により脚体間の離間寸法が相対的に広くする必要がある場合は、パイプ材端部と遮蔽部との間に隙間が生じるため、パイプ材は長手方向にがたつきが生じる恐れがあった。又、特許文献２に記載のベンチでは、座部を上下方向に微動させるため、座部の側端縁部とフレームのコ型内部の間に隙間を設ける必要があるため、設置場所によりフレーム間の離間寸法を調整する必要がある場合、フレーム間の間隔が狭くなると、前記隙間が狭くなり、座部の微動が抑制されるお恐れがあり、一方、フレーム間の間隔が広くなると、前記等同様に座部が長手方向に対してがたつきが生じる恐れがあった。
【０００７】
本発明は、前記の如き問題点を解消し、脚部間の間隔を調整する必要があっても、その調整寸法を吸収しつつ、脚部間に座部をしっかり取付けることができるベンチを提供せんとするものである。
【課題を解決するための手段】
【０００８】
上記目的を達成するために、本発明は次のような構成としている。
すなわちこの発明に係るベンチは、適宜間隔をおいて立設された２個の端脚部間に、座部が長手方向に配置され、前記端脚部は、前記座部の一端部が挿入される中空の挿入部が設けられ、前記挿入部は上壁と底壁とを備えた断面略コ字状となされ、且つ底壁の先端より支持板部が突設されると共に前記支持板部の先端は上壁の先端より張り出していることを特徴とするものである。
【０００９】
本発明に係るベンチにおいて、端脚部の間に中間脚部が設けられ、前記中間脚部に挿入部及び支持板部を左右に設け、該中間脚部の左右に配置された座部の一端部が左右の挿入部をそれぞれ挿入させた構成としてもよい。
【００１０】
又、本発明に係るベンチにおいて、座部を、長手方向に中空状となされたアルミニウム製芯材に合成樹脂を被覆した構成としてもよい。
【発明の効果】
【００１１】
本発明によれば、適宜間隔をおいて立設された２個の端脚部間に、座部が長手方向に配置され、前記端脚部は、前記座部の一端部が挿入される中空の挿入部が設けられ、前記挿入部は上壁と底壁とを備えた断面略コ字状となされ、且つ底壁の先端より支持板部が突設されると共に前記支持板部の先端は上壁の先端より張り出しているので、端脚部間の間隔寸法が当初より広がる場合であっても、座部の側端部が挿入部から外方に露出しないように取付けることができ、しかも座部の側端部が挿入部内の浅い位置に配置されていても、支持部によりこの座部の側端部を安定的に支持できるので、位置の偏りにより座部の支持構造が不安定になるような不具合を抑えることができる。
【００１２】
本発明に係るベンチにおいて、端脚部の間に中間脚部が設けられ、前記中間脚部は前記挿入部及び支持板部が左右に設けられ、該中間脚部の左右に配置された座部の一端部が左右の挿入部にそれぞれ挿入されるように構成すれば、中間脚部を介して座部を長手方向に連設することが容易となる。
【００１３】
又、本発明に係るベンチにおいて、座部を、長手方向に中空状となされたアルミニウム製芯材に合成樹脂を被覆した構成とすれば、太陽光等の熱射により座部の表面温度が上昇しても、熱が芯材に伝導し周囲に拡散されるため、座部の表面温度は著しくは上昇せず、特に夏期の昼間において、座部が熱くなり利用者が座部に腰掛けることができなくなるような不具合を抑えることができる。
【発明を実施するための最良の形態】
【００１４】
次に、本発明を実施するための最良の形態について図面を参照し、具体的に説明する。
【００１５】
すなわち、図１は本発明に係るベンチの第１の実施形態を示す説明図、図２は図１のＡ−Ａ断面における主要部の拡大縦断面図、図３は図１のＢ−Ｂ断面における主要部の拡大縦断面図、図４は本発明に係るベンチの第２の実施形態を示す説明図、図５は図４のＣ−Ｃ断面における縦断面図、図６は図４のＤ−Ｄ断面における縦断面図、図７は本発明に係るベンチの第３の実施形態を示す説明図、図８は本発明に係るベンチの第４の実施形態を示す説明図である。
【００１６】
図面において、１は座部、２は座部１の両側端部に配置された端脚部であり、本発明に係るベンチＰは、座部１及び端脚部２とから主に構成されるものであり、端脚部２の間に座部１が長手方向に配置されたものである。
【００１７】
図１〜４は、本発明に係るベンチＰの第１の実施形態を示す説明図であり、図１は、本実施形態に係るベンチＰの平面図（ａ）、正面図（ｂ）、底面図（ｃ）、側面図（ｄ）を示すものである。
【００１８】
座部１は、一般には合成樹脂或いは芯材に合成樹脂を被覆した押出成型品を適宜長さに切断して用いるものであり、合成樹脂としては、ポリエチレン、ポリプロピレン等のポリオレフィンあるいは、これらを共重合させたものや、更に酢酸ビニルやアクリル酸、アクリル酸エステル等を共重合させたものや、ポリエステル、ＡＢＳ樹脂、ＡＡＳ樹脂、ポリカーボネート等や、これらを適宜組み合わせたものを用いてもよい。又、木質の風合いを出すために木粉を添加してもよい。芯材を用いる場合は、一般には金属や合成樹脂から形成されるが、重量や剛性の点を考慮すると、中空状の金属管状体を用いることが好ましい。又、本実施形態のように芯材に中空部を備えたアルミニウム合金を用い、更に芯材を合成樹脂を被覆したものとすれば、合成樹脂のみで形成されたものに比べて、日射による熱は合成樹脂から芯材に伝たわるが芯材では熱が周囲に拡散され放熱しやすいため、座部１の過度の温度上昇を抑え、より好ましい。
【００１９】
座部１は、本実施形態では横板状に形成されたものであるが、例えば、パイプ状に形成されたものでよく、又、本実施形態のように、座部１を前後に配置したものでもよい。この際、前側の座部の前面は上下の角を落とした曲面状に形成するのが好ましい。
【００２０】
図２，３は、図１のＡ−Ａ断面、Ｂ−Ｂ断面における拡大縦断面図である。端脚部２は、座部１の両側端部１１，１１をそれぞれ支持するものであり、座部１の側端部１１が挿入される挿入部２１と、端脚部２を地表に固定する為の固定部２２と、挿入部２１と固定部２２とを連結する連結部２３とを備えている。本実施形態では、挿入部２１、固定部２２及び連結部２３により前方が開いた側面視略コ字状に形成されたものであるが、例えば、挿入部２１の中央部と固定部２２の中央部を連結部２３が接続した形態でもよく、間隔を開けて連結部２３を複数設けた形態でもよい。又、固定部２２にはボルト孔が上下に貫通して設けられており、アンカボルト等を介して地表に固定することができる。
【００２１】
端脚部２は、一般には、合成樹脂の射出成形や金属の鋳型成型等により形成されたものであり、本実施形態においては、アルミニウム合金により一体に成形されたものであるが、複数の部材を組み合わせて形成されたものを用いてもよい。
【００２２】
挿入部２１は、端脚部２の上部に設けられ、上壁２４と底壁２５とを備えた断面略コ字状となされ側方に向けて開口されており、この挿入部２１内に座部１の側端部１１が側方から挿入されるものである。挿入部２１の底壁２５の先端からは、座部１の長手方向に向けて支持板部２６が突設されており、支持板部２６の先端は上壁２４の先端より座部１の長手方向に張り出している。そして、座部１の側端部１１を挿入部２１内に挿入した際に、側端部１１の下面が支持板部２６上に載置され、固定ビスＢを介して固定されている。
【００２３】
これにより、挿入部２１内における座部１の側端部１１の縁部が奥まで挿入されず、挿入部２１内の途中に配置された状態であっても、挿入部２１により側端部１１の縁部を覆うことができる。更に、この場合、支持板部２６がない場合に比べると、座部１の側端部１１を支持板部２６で支持することができるので座部１の支持状態をより安定的に保つことができ、又、座部１の側端部１１が挿入部２１内に配置されていれば、支持板部２６上には座部１の側端部１１が確実に配置されるので、支持板部２６のビス孔から下方から固定ビスＢを挿入して支持板部２６上の側端部１１に螺着させる場合に、固定ビスＢの挿入取付位置を確実に確保することができる。
【００２４】
挿入部２１の上壁２４は、座部１の側端部１１が寸法調整できる程度の左右寸法を有していればよく、上壁２４の左右寸法をなるべく狭く設定して、外観を損なわないようにすることができる。一方、底壁２５に設けられた支持板部２６は左右方向の寸法を十分確保しても外観上は目立たないので意匠性を損なうことなく、座部１の側端部１１をしっかり支持することができる。
【００２５】
挿入部２１の後部には、連結部２３の長手方向に向けて側方に開口する下部挿入部２７が形成されている。又、下部挿入部２７を構成する前壁及び底壁の先端から座部１の長手方向に向けて下部支持板部２８が突設されている。そして、両端脚部２を連結して補強するための補強材Ｒの両端が、下部挿入部２７内にそれぞれ挿入され、下部支持板部２８の底板上に載置されると共に、補強材Ｒは、座部１と同様に固定ビスＢを介して下部支持板部２８の前壁に固定されている。加えて、支持板部２６及び下部支持板部２８の先端は、座部１及び補強材Ｒから離れる方向にリブ２９が形成されている。これらの構造により、支持板部２６及び下部指示板２８の強度が高められ、もってベンチＰの強度を高めることができる。
【００２６】
図４は、本発明に係るベンチの第２の実施形態を示すものであり、（ａ）は平面図、（ｂ）は正面図、（ｃ）は底面図である。本形態に係るベンチＰは、図１〜３に示されたベンチＰと比べて、端脚部２の間に配置された中間脚部３を介して座部１が長手方向に連設された点が異なるのみであり、その他の点については、図１〜３に示されたベンチＰと同様である。
【００２７】
すなわち、図４に示されたベンチＰは、端脚部２の間に中間脚部３が設けられ、この中間脚部３は、上記の端脚部２と同様な挿入部３１が左右に設けられ、そして、中間脚部３の左右に配置された座部１の側端部１１，１１が左右の挿入部３１，３１にそれぞれ挿入されたものである。
【００２８】
中間脚部３は、前記挿入部３１と、中間脚部３を地表に固定する為の固定部３２と、挿入部３１と固定部３２とを連結する連結部３３とを備えている。本実施形態では、挿入部３１、固定部３２及び連結部３３により前方側に開いた側面視略コ字状に形成されたものであるが、例えば、挿入部３１の下面中央部と固定部３２の上面中央部とを連結部３３が接続した形態でもよく、連結部３３を複数個設けた形態でもよい。
【００２９】
図５，６は、図４のＣ−Ｃ断面，Ｄ−Ｄ断面における縦断面図である。挿入部３１は、上壁３４と底壁３５とを備え左右両方に開口されており、挿入部３１の底壁３５の両端から左右の座部１の長手方向に向けてそれぞれ支持板部３６，３６が設けられており、座部１の側端部１１の下面が支持板部３６上に載置されるようになされている。更に、挿入部３１の後部に下部挿入部３７が形成されている点、下部挿入部３７の先端に下部支持板部３８が突設されている点、支持板部３６及び下部支持板部３８の先端にはリブ３９が形成されている点、そして、補強材Ｒの一端が下部挿入部３７内に挿入され固定されている点は、図１〜３に示されたベンチＰと同様である。
【００３０】
支持板部３６は、挿入部３１の左右の一方のみに設けた形態でもよいが、本実施形態のように、挿入部の左右両側方にそれぞれ設けた方が、座部１の側端部１１を効果的に支持することができ好ましい。
【００３１】
挿入部３１内は、本実施形態においては、間仕切部が設けられ、挿入部３１内が左右に分割され、一方の開口部から他方の開口部に向けて座部材１１が貫通しないようになされている。この間仕切りにより、挿入部３１の剛性を高めることができ、又座部材１１の長さが定尺寸法となされた場合は、座部材１１の側端縁を間仕切部に当接させてベンチＰを形成することにより、端脚部２と中間脚部３との間隔、或いは中間脚部３どうしの間隔を容易に合わせることができる。
【００３２】
挿入部３１内は、一方の開口からもう一方の開口まで座部１が貫通可能な中空状としてもよい。これにより、端脚部２と中間脚部３との間に他の中間脚部３を配置して、座部材１１の撓みを抑えることが可能となり、加えて座部材１１を適宜位置で仕切ることができる。この際、端脚部２や中間脚部３の上端に肘掛けを設けておけば、座部材１１の座面を効率よく仕切ることができる。
【００３３】
図７は、本発明に係るベンチの第３の実施形態を示すものであり、（ａ）は平面図、（ｂ）は正面図、（ｃ）は側面図である。本形態に係るベンチＰは、図１〜３に示されたベンチＰと比べて、端脚部２の連結部３３が上下方向に長くなされた点、及び端脚部２の挿入部２１に挿入される座部１は１個であり、これに応じて挿入部２１の前後方向の寸法が短くなされたものである。その他の点については、図１〜３に示されたベンチＰと同様である。
【００３４】
図８は、本発明に係るベンチの第４の実施形態を示すものであり、（ａ）は平面図、（ｂ）は正面図、（ｃ）は側面図である。本形態に係るベンチＰは、図７に示されたベンチＰと比べて、端脚部２の間に配置された中間脚部３を介して座部１が長手方向に連設された点が異なるのみであり、その他の点については、図７に示されたベンチＰと同様である。
【００３５】
すなわち、図８に示されたベンチＰは、端脚部２の間に中間脚部３が設けられ、この中間脚部３は、図７に示された端脚部２と同様な挿入部３１が左右に設けられ、そして、中間脚部３の左右に配置された座部１の側端部１１，１１が左右の挿入部３１，３１にそれぞれ挿入されたものである。
【００３６】
このように、座部１、端脚部２、中間脚部３とを適宜組み合わせることによって、２個の端脚部２の間に１個の座部１を配置した形態に対して、中間脚部３を利用することにより、ベンチＰを座部１の長手方向に延設することが可能となり、設置場所に合わせてベンチＰの左右方向の長さを調節することができる。
【図面の簡単な説明】
【００３７】
【図１】本発明に係るベンチの第１の実施形態を示す説明図である。
【図２】図１のＡ−Ａ断面における主要部の拡大縦断面図である。
【図３】図１のＢ−Ｂ断面における主要部の拡大縦断面図である。
【図４】本発明に係るベンチの第２の実施形態を示す説明図である。
【図５】図４のＣ−Ｃ断面における縦断面図である。
【図６】図４のＤ−Ｄ断面における縦断面図である。
【図７】本発明に係るベンチの第３の実施形態を示す説明図である。
【図８】本発明に係るベンチの第４の実施形態を示す説明図である。
【符号の説明】
【００３８】
１    座部
１１  側端部
２    端脚部
２１  挿入部
２４  上壁
２５  底壁
２６  支持板部
２９  リブ
３    中間脚部
３１  挿入部
３４  上壁
３５  底壁
３６  支持板部
Ｂ    固定ビス
Ｐ    ベンチ
Ｒ    連結材
【図１】
2010057696.tif 000003
【図２】
2010057696.tif 000004
【図３】
2010057696.tif 000005
【図４】
2010057696.tif 000006
【図５】
2010057696.tif 000007
【図６】
2010057696.tif 000008
【図７】
2010057696.tif 000009
【図８】
2010057696.tif 000010